(57)【要約】      （修正有）【課題】簡易に導入でき作業性を高めるマウス用またはラット用の搾乳器を提供する。【解決手段】エッペンチューブ２と、栓３と、搾乳管４、排気管５および陰圧調整管６と、を含むマウス用又はラット用の片手持ち搾乳器１であって、搾乳管４はＬ字管であって一端が栓体に差し込まれ他端は乳首にあてがわれるものであり、排気管５もＬ字管であって一端が栓体に差し込まれ他端は吸引ポンプに接続されるものであり、陰圧調整管６は直管であって一端が栓体に差し込まれ他端は両Ｌ字管よりも軸方向に延伸しており、作業者が片手でエッペンチューブ２をつまみつつ中指と親指で搾乳管４を保持しつつその端をマウスまたはラットの乳首にあてがい、人差指により陰圧調整管６の端を開閉して吸引力を調整可能にしたことを特徴とする片手持ち搾乳器１。【選択図】図１
2010096685.tif 000002
【特許請求の範囲】
【請求項１】
サンプル管と、栓体と、３本の管体と、を含むマウス用又はラット用の片手持ち搾乳器であって、
三本の管体は、搾乳管、陰圧調整管、および、排気管であり、栓体の軸方向に空けられた孔に差し込まれてそれぞれサンプル管内と導通し、
搾乳管はＬ字管であって一端が栓体に差し込まれ他端は乳首にあてがわれるものであり、
排気管もＬ字管であって一端が栓体に差し込まれ他端は吸引ポンプに接続されるものであり、
陰圧調整管は直管であって一端が栓体に差し込まれ他端は両Ｌ字管よりも軸方向に延伸しており、
作業者が片手でサンプル管を握りつつもしくはつまみつつ中指と親指で搾乳管を保持しつつ当該搾乳管の前記他端をマウスまたはラットの乳首にあてがい、人差指により陰圧調整管の前記他端を開閉して吸引力を調整可能にしたことを特徴とする片手持ち搾乳器。
【請求項２】
サンプル管には搾乳量を把握可能にする目盛が付されていることを特徴とする請求項１に記載の片手持ち搾乳器。
【請求項３】
搾乳管の前記他端は、拡径し、かつ、面取り処理がなされていることを特徴とする請求項１または２に記載の片手持ち搾乳器。
【請求項４】
少なくとも搾乳管およびサンプル管を透明としたことを特徴とする請求項１，２または３に記載の片手持ち搾乳器。
【発明の詳細な説明】
【技術分野】
【０００１】
本発明は、片手持ち搾乳器に関し、特に、マウスやラットなどの実験用小動物の片手持ち搾乳器に関する。
【背景技術】
【０００２】
従来、マウスやラットは、実験動物として様々に使用され、薬効調査をはじめとし、基礎的情報として血液生化学的検査は極めてよく用いられている。
【０００３】
また、遺伝形質を調べたり親の食生活等による子への影響調査も行われるが、このとき、血液のみでなく、子への影響が大きいと考えられる獣乳も重要な評価試料と考えられる。
【０００４】
【特許文献１】国際公開ＷＯ０１／０６７０６４号公報
【発明の開示】
【発明が解決しようとする課題】
【０００５】
しかしながら、従来では、搾乳口に関するティートカップの形状は工夫されているものの、実験用小動物の簡便な搾乳器はなく、簡便に獣乳を集めることができなかった。
【０００６】
実際、特許文献１に開示される技術に基づく搾乳器は、第１に装置が百万円を超え高価かつ大がかりである、第２に吸引が定常的であって陰圧が大きくなり、場合によっては乳首から血が出てきてしまい適正な搾乳が実現できない、第３に、ティートカップの押し当て方により吸引力が異なるため、この観点からも適正な搾乳が実現できない、といった問題点があった。
【０００７】
そしてなにより、獣乳を評価する実験においては、母獣の数が多いものの搾乳量が少ないため、手早く簡便に搾乳作業ができることが望まれていた。
【０００８】
本発明は上記に鑑みてなされたものであって、簡易に導入でき作業性を高めるマウス用またはラット用の搾乳器を提供することを目的とする。
【課題を解決するための手段】
【０００９】
上記の目的を達成するために、請求項１に記載の片手持ち搾乳器は、サンプル管と、栓体と、３本の管体と、を含むマウス用又はラット用の片手持ち搾乳器であって、三本の管体は、搾乳管、陰圧調整管、および、排気管であり、栓体の軸方向に空けられた孔に差し込まれてそれぞれサンプル管内と導通し、搾乳管はＬ字管であって一端が栓体に差し込まれ他端は乳首にあてがわれるものであり、排気管もＬ字管であって一端が栓体に差し込まれ他端は吸引ポンプに接続されるものであり、陰圧調整管は直管であって一端が栓体に差し込まれ他端は両Ｌ字管よりも軸方向に延伸しており、作業者が片手でサンプル管を握りつつもしくはつまみつつ中指と親指で搾乳管を保持しつつ当該搾乳管の前記他端をマウスまたはラットの乳首にあてがい、人差指により陰圧調整管の前記他端を開閉して吸引力を調整可能にしたことを特徴とする片手持ち搾乳器。
【００１０】
すなわち請求項１にかかる発明は、片手でマウスやラットを持ち、もう片方の手でサンプル管を持ちつつ搾乳状態を把握しながら人差指で吸引調整が可能となる。ここで、搾乳管はＬ字に曲がって外側に向いているので把持の点からも搾乳の点からも作業性が向上する。加えて、陰圧調整管を飛び出させ、逆に、他の二管はＬ字に曲げているので、人差指によるタッピングもしやすくなるようにしている。
【００１１】
なお、サンプル管は、特に限定されず、エッペンチューブなど汎用のものであってよい。この場合は、そのままキャップをして冷蔵・冷凍保存することなども可能である。なお、Ｌ字管は、概ねＬ字となっていれば曲率半径の大小は問わず、一端の軸方向と多端の軸方向が約９０°異なっていればよいものとする。
【００１２】
また、請求項２に記載の片手持ち搾乳器は、請求項１に記載の片手持ち搾乳器において、サンプル管には搾乳量を把握可能にする目盛が付されていることを特徴とする。
【００１３】
すなわち、請求項２にかかる発明は、簡便に搾乳量を把握できる。従って、初乳は量が少なく徐々に乳量が多くなってくるが、同一母獣の搾乳量変化なども容易に把握できる。
【００１４】
また、請求項３に記載の片手持ち搾乳器は、請求項１または２に記載の片手持ち搾乳器において、搾乳管の前記他端が、拡径し、かつ、面取り処理がなされていることを特徴とする。
【００１５】
すなわち、請求項３にかかる発明は、陰圧により乳首の根本が絞り込まれることなく、円滑かつ安全な搾乳が可能となる。
【００１６】
また、請求項４に記載の片手持ち搾乳器は、請求項１，２または３に記載の片手持ち搾乳器において、少なくとも搾乳管およびサンプル管を透明としたことを特徴とする。
【００１７】
すなわち、請求項４にかかる発明は、視認性を向上し作業性を高める。
【発明の効果】
【００１８】
本発明によれば、簡易に導入でき作業性を高めるマウス用またはラット用の搾乳器を提供することができる。
【発明を実施するための最良の形態】
【００１９】
以下、本発明の実施の形態を図面を参照しながら詳細に説明する。
図１は、本発明の片手持ち搾乳器の正面図である。図示したように、搾乳器１は、エッペンチューブ２と、栓３と、搾乳管４、排気管５、陰圧調整管６と、キャップ７と、を有する。図２は、各部の正面図または平面図を表したものである。
【００２０】
エッペンチューブ２はキャップ７つきの先細りの透明プラスチック容器である（図２ａ、図２ｂ）。その容量は１．５ｃｃであり、側面には目盛りが付され、おおよそどの程度搾乳できたか把握できるようになっている。外形は直径約９ｍｍであり、長さは３９ｍｍである。キャップ７により、搾乳した獣乳を直ちに密封でき、取り扱い性を高めている。
【００２１】
栓３はシリコン製であり、エッペンチューブ２に容易に栓ができるように切頭錐形状である（図２ｃ、図２ｄ）。小さな径が直径９ｍｍ、大きな径が直径１０ｍｍ、高さは約１０ｍｍである。また、栓３には、軸方向に搾乳管４、排気管５、および、陰圧調整管６を差し込む孔８が３カ所空けられている（図２ｄ）。３本の管を差し込んだ様子を図３に示した。
【００２２】
搾乳管４、排気管５、および、陰圧調整管６は、それぞれ外直径３ｍｍ内直径１．５ｍｍのガラス管であり（図２ｉ）、排気管５および搾乳管４は中途を曲げたＬ字管としている。搾乳管４は、乳首にあてがう側の端部を直径５ｍｍに拡径しており、円滑な搾乳を実現する（図２ｅ、図２ｈ）。また先端が面取りしてあり乳首を傷つけないようにしている。
【００２３】
排気管５は、搾乳管４とはＬ字が反対側に向かうように栓３に差し込まれ（図３）、片側は、ゴム管により吸引ポンプ（図示せず）に接合するようになっている（図２ｆ）。なお、ポンプは、水道式のアスピレータを用いることができ、装置構成を簡素化することができる。
【００２４】
陰圧調整管６は直管であり、人差し指により吸引の強弱をつける（図２ｇ）。一定圧で吸引をすると乳首が鬱血し、場合によっては出血してしまう。このようなことを起こさないように、陰圧調整管６を介して作業者は、タッピングにより陰圧の強弱をつけ、乳首の様子と乳の出を把握しながら搾乳する。図４に、持ち手の様子を例示した。
【００２５】
搾乳管４、排気管５、および、陰圧調整管６の軸方向の長さは、それぞれ、４７ｍｍ、１８ｍｍ、２５ｍｍであり、搾乳管４は、栓３に深く差し込みサンプル管の下側にたまりやすくしている。これは、乳が微量であることに対応させたものである。一方、陰圧調整管６は、上に突出するようにして、人差し指によるタッピングをしやすくしている。
【００２６】
作業に際しては、マウスを左手で持ち上げ、右手中指と親指で搾乳管４をつまみこれを乳首にあてがい、右手人差し指で陰圧調整管６の頭（先端）をタッピングして、乳の出の様子を見ながら、搾乳をしていく。搾乳が終わったら、栓３を抜き、キャップ７をする。このように、搾乳器１により、マウスの乳首を痛めることなく効率的かつ簡便な搾乳が可能となる。
【産業上の利用可能性】
【００２７】
本発明によれば、獣乳そのものを保存し子獣に与えることもできれば、生体試料としての成分分析も可能になる。
【図面の簡単な説明】
【００２８】
【図１】本発明の片手持ち搾乳器の正面図である。
【図２】各部の正面図または平面図を表したものである。
【図３】各管を栓に差し込んだ様子を示した図である。
【図４】搾乳器を持った様子を示した図である。
【符号の説明】
【００２９】
１        搾乳器
２        エッペンチューブ
３        栓
４        搾乳管
５        排気管
６        陰圧調整管
７        キャップ
８        孔
【図１】
2010096685.tif 000003
【図２】
2010096685.tif 000004
【図３】
2010096685.tif 000005
【図４】
2010096685.tif 000006